(57)【要約】【課題】例えばピッキングしたい場所を光で指し示してピッキングを行う場合において、光が指し示している場所をより分かりやすくする。【解決手段】レーザーポインター１０から照射された光を受光し内部で散乱させる立体の発光体２。【選択図】図１
2020003645.tif 000002
【特許請求の範囲】
【請求項１】
レーザーポインターから照射された光を受光し内部で散乱させる立体の発光体。
【請求項２】
ドーム形状で多面体の請求項１記載の発光体。
【請求項３】
底面側に反射板を備える請求項１又は２記載の発光体。
【請求項４】
所定の波長域の光を散乱させる樹脂で形成される請求項１、２、又は３記載の発光体。
【発明の詳細な説明】
【技術分野】
【０００１】
本発明は、光を受光することで発光する発光体に関する。
【背景技術】
【０００２】
従来、保管棚から作業者が部品等を取り出す時に必要な部品の在り処を指し示すピッキングシステムがある（例えば、特許文献１参照）。このようなピッキングシステムにおいては、ピッキングしたい場所を光で指し示している。
【先行技術文献】
【特許文献】
【０００３】
【特許文献１】特開２０１７−００１７６０号公報
【発明の概要】
【発明が解決しようとする課題】
【０００４】
しかし、ピッキングを行う部屋が明るい場合、又は保管棚が離れた場所にある場合等においては、光で照らされているピッキングしたい場所が分かりにくい。
よって、例えばピッキングしたい場所を光で指し示してピッキングを行う場合においては、光が指し示している場所を分かりやすくするという課題がある。
【課題を解決するための手段】
【０００５】
上記課題を解決するための本発明は、レーザーポインターから照射された光を受光し内部で散乱させる立体の発光体である。
【０００６】
前記発光体は、ドーム形状の多面体であると好ましい。
【０００７】
前記発光体は、底面側に反射板を備えると好ましい。
【０００８】
前記発光体は、所定の波長域の光を散乱させる樹脂で形成されると好ましい。
【発明の効果】
【０００９】
本発明に係る立体の発光体は、レーザーポインターから照射された光を受光し内部で散乱させることで、明るい場所であっても、また、遠くからであっても備え付けられた保管棚の何処の箇所をレーザーポインターが指し示しているかを作業者がわかりやすくなる。
【００１０】
本発明に係る発光体は、さらに外形をドーム形状の多面体とすることで、レーザーポインターから照射される光の発光体に対する入射すべき角度（発光体内部で光が散乱を起こす入射角度）が一方向に限定されることがなくなり、発光体をより確実に発光させることが可能となる。
【００１１】
本発明に係る発光体は、さらに底面側に反射板を備えることで、内部で散乱した光をさらに発光体の外側に向かって反射させることができるため、作業者の目に発光体がより明るく映る。よって、明るい場所であっても、また、遠くからであっても備え付けられた保管棚の何処の箇所をレーザーポインターが指し示しているかを作業者がよりわかりやすくなる。
【００１２】
本発明に係る発光体は、所定の波長域の光を散乱させる樹脂で形成されることで、明るい場所であっても、また、遠くからであっても備え付けられた保管棚の何処の箇所を指し示しているかを作業者がより見やすくなる。
【図面の簡単な説明】
【００１３】
【図１】保管棚に取り付けられた発光体にレーザーポインターから光（レーザー光）を照射している状態を説明する側面図である。
【図２】ドーム形状で多面体の発光体が、受光した光によって発光している状態を説明する側面図である。
【図３】底面側に反射板を備える発光体が、受光した光によって発光している状態を説明する側面図である。
【発明を実施するための形態】
【００１４】
図１に示す保管棚３は、例えばピッキング設備に配設される棚であり、作業者によってピッキングされる複数の部品を保管している。例えばピッキング設備においては、複数の保管棚３は所定間隔を空けて配置されており、該所定間隔は作業者が通行可能な通路となっている。
【００１５】
保管棚３は、図示の例においては、底板３０と、天板３１と、保管棚３の後方側（−Ｘ方向側）となる背板３２と、前方側（＋Ｘ方向側）の複数の開口３３とを有しており、各開口３３から部品を出し入れできる構成となっている。
【００１６】
背板３２の内側面には、Ｙ軸方向（紙面手前側）に水平に延びる複数の棚板３４がＺ軸方向に所定の間隔を空けて固定されており、この複数の棚板３４上には、例えば各種の部品を収納したプラスチックケース３５等の保管什器がそれぞれ置かれている。
【００１７】
例えば、棚板３４の＋Ｘ方向側の前端面には、本発明に係る立体の発光体２が底面２０を−Ｘ方向側に向けて図示しない固定具を用いて取り付けられている。
本実施形態における発光体２は、所定の波長域（例えば、４５０ｎｍ〜５５０ｎｍ）の光（青〜緑の光）を散乱させる樹脂で形成されている。樹脂の一例としては、エチレン酢酸ビニル共重合体樹脂（ＥＶＡ）である。ＥＶＡは、エチレンと酢酸ビニル（ＶＡ）とを共重合した熱可塑性樹脂であり、酢酸ビニルが約１０％〜約４０％以下のものを指すが、その中でも発光体２は例えば低〜中ＶＡ含量のＥＶＡからなる。ＥＶＡは、自然色は透明となっているが、例えば顔料が加えられて乳白色や緑色等に着色したものを用いても良い。
ＥＶＡは、成形加工性に優れているため、本実施形態のように発光体２の外形をドーム形状で多面体（一例として所謂ジオテックドーム形状）とすることができる。
【００１８】
発光体２は、例えば、底面２０側に反射板２２を備えている。本実施形態においては、反射板２２は発光体２の底面２０に埋設されているが、底面２０に反射板２２が貼り付けられた状態となっていてもよい。反射板２２としては、鏡面板のような光を正反射させるものよりも、光を乱反射させるものであると好ましい。即ち、反射板２２の前面２２０は平坦でなくざらざらした面となっていると好ましく、市販のプリズムシート等を反射板２２として用いても良い。
【００１９】
発光体２にレーザー光を照射する図１に示すレーザーポインター１０は、例えば、保管棚３の対面上方に配置されており、その照射口１００から空間を直進するレーザー光（例えば、青〜緑の可視光レーザー）を照射できる。
レーザーポインター１０は、レーザーポインター移動手段１１によって、例えばＹ軸方向の軸心周りに回転可能となっている。
【００２０】
例えば、レーザーポインター移動手段１１及びレーザーポインター１０は、部品検索が自動的できるようにシステムが構築されている図示しない制御用コンピュータに電気的に接続されている。
【００２１】
以下に、作業者が保管棚３から必要な部品をピックアップする場合の発光体２の働きについて説明する。
【００２２】
作業者がピックアップしたい必要な部品の情報を図示しない制御用コンピュータに入力することで、図示しない制御用コンピュータによる制御の下で、レーザーポインター移動手段１１がレーザーポインター１０をＹ軸方向の軸心周りに所定角度回転させて、照射口１００を該必要な部品が保管されている棚板３４に設置された発光体２（例えば、保管棚３の上から二段目の棚板３４に設置された発光体２）に合わせた後、レーザーポインター１０が一点鎖線で示す青色〜緑色のレーザー光を該発光体２に向けて照射する。
【００２３】
図１に示す例においては、レーザー光は該発光体２に向かって斜め上方から直進して入射する。その結果、発光体２内部において光のレイリー散乱が発生すると考えられるため、発光体２が従来保管棚３に取り付けられていた発光体よりも明るい光（青色の光〜緑色の光）を発する。即ち、本実施形態のようにエチレン酢酸ビニル共重合体樹脂（ＥＶＡ）からなる発光体２に所定の波長域（例えば、４５０ｎｍ〜５５０ｎｍの短波長域）の青〜緑のレーザー光が入射すると、発光体２を構成する高分子が受光した青や緑の光の散乱を発生・増大させ、発光体２が青や緑の光を従来よりも強く発した状態になる。
なお、レイリー散乱は、光の波長よりも小さいサイズの粒子による光の散乱で、典型的な現象は気体中の散乱であるが、透明な液体や本発明に係るような固体の発光体２中でも起きる。
【００２４】
上記のように発光体２が従来よりも明るく発光することで、ピッキングを行う部屋が明るい場所であっても、また、遠くからであっても、備え付けられた保管棚３の何処の箇所をレーザーポインター１０が指し示しているかを作業者がわかりやすくなる。
【００２５】
本実施形態のように、発光体２の外形をただのドーム形状（半球状）ではなくドーム形状で多面体とすることで、レーザーポインター１０から照射される光の発光体２に対する入射すべき角度（発光体２内部で光が散乱を起こす入射角度）が一方向に限定されることがなくなり、発光体２をより確実に発光させることが可能となる。即ち、図２に示すように、青〜緑のレーザー光が発光体２に向かって例えば正面から直進して入射した場合であっても、発光体２が青や緑の光の散乱を増大させ、発光体２が青や緑の光を発した状態になる。
【００２６】
さらに、本実施形態のように、発光体２の底面２０側に反射板２２を備えることで、図１又は図３に示すように、青〜緑のレーザー光が発光体２に向かって直進して入射して発光体２内部で散乱した光が、底面２０側に備えられた反射板２２で反射し、発光体２の外側に向かって光を発するため、作業者の目に発光体２がより明るく映る。よって、明るい場所であっても、また、遠くからであっても備え付けられた保管棚３の何処の箇所をレーザーポインター１０が指し示しているかを作業者がよりわかりやすくなる。
【００２７】
なお、本発明に係る発光体２は上記の例に限定されるものではなく、例えば、発光体２はＥＶＡ以外の樹脂で構成されていてもよいし、それに合わせてレーザーポインター１０から照射する光の波長域を適宜変更してもよい。また、添付図面に図示されている保管棚３やレーザーポインター１０等の構成要素についても、これに限定されず、本発明の効果を発揮できる範囲内で適宜変更可能である。
【符号の説明】
【００２８】
３：保管棚  ３０：底板  ３１：天板  ３２：背板  ３４：棚板  ３５：プラスチックケース
２：発光体  ２０：底面  ２２：反射板
１０：レーザーポインター  １００：照射口  １１：レーザーポインター移動手段
【図１】
2020003645.tif 000003
【図２】
2020003645.tif 000004
【図３】
2020003645.tif 000005